(57)【特許請求の範囲】
【請求項１】
少なくとも画像フレームを有する小組データが複数割り付けられる組版データを組版実行により生成する組版装置であって、
各前記小組データにおける各画像フレームのうち処理対象となる画像フレームに対して目印情報が関連付けられており、
前記複数の小組データを用いた組版実行時に、前記目印情報が関連付けられた画像フレームを検索する画像フレーム検索手段と、
前記組版実行により生成された組版データを表示すると共に、前記検索された画像フレームの枠上にオペレータにより視認可能な複数の点を表示することで当該画像フレームを当該組版データ上で選択状態にする画像フレーム選択手段と、
を備えることを特徴とする組版装置。
【請求項２】
請求項１に記載の組版装置において、
前記処理対象となる画像フレームには、サイズ調整処理対象又はレイアウト位置調整処理対象となる画像フレームが含まれることを特徴とする組版装置。
【請求項３】
請求項１に記載の組版装置において、
前記処理対象となる画像フレームには、サイズ調整処理対象又はレイアウト位置調整処理対象となる画像がレイアウトされる画像フレームが含まれることを特徴とする組版装置。
【請求項４】
少なくとも画像フレームを有する小組データが複数割り付けられる組版データを組版実行により生成する組版装置における組版方法であって、
各前記小組データにおける各画像フレームのうち処理対象となる画像フレームに対して目印情報が関連付けられており、
前記複数の小組データを用いた組版実行時に、前記目印情報が関連付けられた画像フレームを検索する工程と、
前記組版実行により生成された組版データを表示すると共に、前記検索された画像フレームの枠上にオペレータにより視認可能な複数の点を表示することで当該画像フレームを当該組版データ上で選択状態にする工程と、
を備えることを特徴とする組版方法。
【請求項５】
少なくとも画像フレームを有する小組データが複数割り付けられる組版データを組版実行により生成するコンピュータを、
各前記小組データにおける各画像フレームのうち処理対象となる画像フレームに対して目印情報が関連付けられており、
前記複数の小組データを用いた組版実行時に、前記目印情報が関連付けられた画像フレームを検索する画像フレーム検索手段、及び、
前記組版実行により生成された組版データを表示すると共に、前記検索された画像フレームの枠上にオペレータにより視認可能な複数の点を表示することで当該画像フレームを当該組版データ上で選択状態にする画像フレーム選択手段として機能させることを特徴とする組版処理プログラム。
【発明の詳細な説明】
【技術分野】
【０００１】
本発明は、データベース上のデータに基づき、ＤＴＰ（Desk Top Publishing）データの作成及び編集を行うシステム等の技術分野に関する。
【背景技術】
【０００２】
ＤＴＰデータ作成時に画像をレイアウトする際、必ずしも画像サイズとレイアウト領域のサイズが一致するとは限らず、画像のサイズを調整したりレイアウト領域内のどの位置に画像をレイアウトするか指定することが多い。
【０００３】
例えば、特許文献１に開示された技術では、画像のサイズをレイアウト領域に合わせて調整し、かつ画像データの中心点とレイアウト領域の中心点を一致させるようにレイアウト位置を決定することで作業の効率化を図っている。
【特許文献１】特許２６８７７５５号
【発明の開示】
【発明が解決しようとする課題】
【０００４】
しかしながら、自動組版においては処理対象となる画像の数が数十〜数百に上ることも多く、処理対象画像を選択する手間が発生し、自動組版後の作業負荷が高くなってしまっていた。さらに、処理対象画像の選択漏れが発生する可能性が非常に高く、トラブルの原因となるなどの問題があった。
【０００５】
そこで、本発明は、上記問題等に鑑みて為されたもので、自動組版後の大幅な作業効率化を図ることができ、処理対象画像の選択漏れの発生を防止することが可能な組版装置、組版方法、及び組版処理プログラムを提供することを課題とする。
【課題を解決するための手段】
【０００６】
上記課題を解決するために、請求項１に記載の発明は、少なくとも画像フレームを有する小組データが複数割り付けられる組版データを組版実行により生成する組版装置であって、各前記小組データにおける各画像フレームのうち処理対象となる画像フレームに対して目印情報が関連付けられており、前記複数の小組データを用いた組版実行時に、前記目印情報が関連付けられた画像フレームを検索する画像フレーム検索手段と、前記組版実行により生成された組版データを表示すると共に、前記検索された画像フレームの枠上にオペレータにより視認可能な複数の点を表示することで当該画像フレームを当該組版データ上で選択状態にする画像フレーム選択手段と、を備えることを特徴とする。
【０００７】
請求項２に記載の発明は、請求項１に記載の組版装置において、前記処理対象となる画像フレームには、サイズ調整処理対象又はレイアウト位置調整処理対象となる画像フレームが含まれることを特徴とする。
【０００８】
請求項３に記載の発明は、請求項１に記載の組版装置において、前記処理対象となる画像フレームには、サイズ調整処理対象又はレイアウト位置調整処理対象となる画像がレイアウトされる画像フレームが含まれることを特徴とする。
【０００９】
請求項４に記載の発明は、少なくとも画像フレームを有する小組データが複数割り付けられる組版データを組版実行により生成する組版装置における組版方法であって、各前記小組データにおける各画像フレームのうち処理対象となる画像フレームに対して目印情報が関連付けられており、前記複数の小組データを用いた組版実行時に、前記目印情報が関連付けられた画像フレームを検索する工程と、前記組版実行により生成された組版データを表示すると共に、前記検索された画像フレームの枠上にオペレータにより視認可能な複数の点を表示することで当該画像フレームを当該組版データ上で選択状態にする工程と、を備えることを特徴とする。
【００１０】
請求項５に記載の組版処理プログラムの発明は、少なくとも画像フレームを有する小組データが複数割り付けられる組版データを組版実行により生成するコンピュータを、各前記小組データにおける各画像フレームのうち処理対象となる画像フレームに対して目印情報が関連付けられており、前記複数の小組データを用いた組版実行時に、前記目印情報が関連付けられた画像フレームを検索する画像フレーム検索手段、及び、前記組版実行により生成された組版データを表示すると共に、前記検索された画像フレームの枠上にオペレータにより視認可能な複数の点を表示することで当該画像フレームを当該組版データ上で選択状態にする画像フレーム選択手段として機能させることを特徴とする。
【発明の効果】
【００１１】
本発明によれば、各小組データにおける各画像フレームのうち処理対象となる画像フレームに対して目印情報を関連付けておき、複数の小組データを用いた組版実行時に、目印情報が関連付けられた画像フレームを検索し、当該組版実行により生成された組版データを表示すると共に、上記検索された画像フレームを当該組版データ上で選択状態にするように構成したので、自動組版後の大幅な作業効率化を図ることができ、処理対象画像の選択漏れの発生を防止することができる。
【発明を実施するための最良の形態】
【００１２】
以下、本発明を実施するための最良の実施形態について、図面に基づいて説明する。なお、以下に説明する実施の形態は、ＤＴＰ編集システムに対して本発明を適用した場合の実施形態である。
【００１３】
先ず、本実施形態に係るＤＴＰ編集システムの構成及び機能について、図１及び図２を参照して説明する。
【００１４】
図１は、本実施形態に係るＤＴＰ編集システムの概要構成の一例を示す図であり、図２は、組版端末の概要構成の一例を示す図である。
【００１５】
図１に示すように、ＤＴＰ編集システムＳは、データベースサーバ１と、組版装置の一例としての組版端末２とを備えて構成されており、データベースサーバ１と組版端末２とはＬＡＮ（Local Area Network）等のネットワーク３を介して接続されている。
【００１６】
データベースサーバ１は、例えばサーバコンピュータからなり、記憶部（例えばハードディスクドライブ等からなる）には、カタログ、チラシ、又は雑誌等のＤＴＰデータの基になる商品（カタログ等の紙面上に掲載される商品）に関する情報を登録するためのデータベースが構築されている。当該データベースとしては、テキストデータベース１１、画像データベース１２、及び組み込み体裁データベース１３がある。
【００１７】
テキストデータベース１１には、商品毎に固有に付与された商品番号に対応付けられて、各商品の商品名、商品の価格、及び画像ファイル名等の情報が登録されている。
【００１８】
画像データベース１２には、商品番号に対応付けられて各商品の画像データが登録されている。
【００１９】
組み込み体裁データベース１３には、例えばカタログ等の紙面に掲載すべき各商品のテキスト及び画像の組み込み体裁（言い換えれば、レイアウト）を規定するテンプレートとなる小組データ（小組ファイル）が、例えば紙面毎に複数登録されている。
【００２０】
なお、後述する組版処理により、一つの紙面を構成するＤＴＰデータ（組版データ）には、少なくとも一つの画像フレームを有する小組データが複数割り付けられるようになっている。
【００２１】
そして、データベースサーバ１は、組版端末２からの要求に応じてテキストデータベース１１、画像データベース１２、及び組み込み体裁データベース１３に登録されたデータを取得し、ネットワーク３を介して組版端末２に送信するようになっている。
【００２２】
組版端末２は、図２に示すように、ＣＰＵ，ＲＡＭ，データ及びプログラムを記憶するＲＯＭ等を備える処理部２１、ハードディスクドライブ等を備える記憶部２２、液晶ディスプレイ等を備える表示部２３、マウス及びキーボードを備える操作部２４、及びネットワーク３を介してデータベースサーバ１と通信を行うための通信部２５を備えて構成されている。
【００２３】
処理部２１は、ＣＰＵが例えば記憶部２２に記憶されているＤＴＰ編集アプリケーションプログラム（本発明の組版処理プログラムを含む）を読み出し実行することにより、上記小組データが複数割り付けられるＤＴＰデータを組版実行により生成すると共に、本発明の画像フレーム検索手段、及び画像フレーム選択手段等として機能し、後述する処理を行うようになっている。
【００２４】
ここで、各小組データにおける各画像フレームのうち、例えばサイズ調整やレイアウト位置調整などの処理対象となる画像フレームには、ＸＭＬ（eXtensible Markup Language）タグ（目印情報の一例）などがオペレータ等により予め関連付けておかれる。なお、画像フレームに関連付けておくタグはＸＭＬでなくても構わない。また、ここでのサイズ調整やレイアウト位置調整などの処理対象は、画像だけでなく、画像フレームも含んでいる（画像のサイズは変更せず、画像フレームのサイズだけを変更する等も可能）。
【００２５】
そして、処理部２１は、オペレータからの指示（操作部２４の操作による）に従って、ＤＴＰデータの基になる商品に関する情報をデータベースサーバ１及びネットワーク３を介して、テキストデータベース１１、画像データベース１２、及び組み込み体裁データベース１３から取得し、取得した商品に関する情報（テキストデータ、画像データ、及び小組データ（小組ファイル））をＲＡＭにおいて予め設定されたＤＴＰデータの表示領域に格納する。
【００２６】
そして、処理部２１は、上記取得したテキストデータと、画像データと、小組データとに基づいて自動組版（つまり、複数の小組データ及びそこに流し込まれる画像及びテキストを用いた組版）処理を行い、当該組版により得られたＤＴＰデータを表示部２３におけるディスプレイ（表示画面）上に表示させる。かかる自動組版実行時に、処理部２１は、ＸＭＬタグが関連付けられた画像フレームを検索するようになっており、上記自動組版実行により生成されたＤＴＰデータを表示部２３におけるディスプレイ上に表示すると共に、上記検索された画像フレームを当該ＤＴＰデータ上で選択状態にするようになっている。
【００２７】
次に、本実施形態に係る組版端末２の処理部２１の画像フレーム選択処理について、図３を用いて説明する。
【００２８】
図３は、組版端末２の処理部２１における画像フレーム選択処理を示すフローチャートである。なお、かかる画像フレーム選択処理の前提として、ＤＴＰデータの基になる商品に関する情報がネットワーク３を介してデータベースサーバ１から取得されているものとする。
【００２９】
図３の処理は、自動組版の実行中に開始され、先ず、処理部２１は、画像フレーム選択のための目印となるＸＭＬタグなどが付けられた画像フレームを検索する（ステップＳ１）。
【００３０】
次いで、処理部２１は、検索された画像フレームを全て選択（つまり、一括選択）状態にする（ステップＳ２）。つまり、自動組版が実行されると、各画像フレーム内に商品に応じた画像がレイアウトされ、同時にＸＭＬタグが関連付けられた画像フレームが全て選択状態となる。
【００３１】
図４は、検索された画像フレームが選択状態とされた様子を示す概念図である。図４の例において、画像フレーム上（フレーム枠上）に８個の点が表示されているのは選択状態を示している。このように選択されている画像フレームは全て、サイズ調整やレイアウト位置調整などの処理対象である。したがって、このまま続けてサイズ調整やレイアウト位置調整などの処理を実行すれば一括で処理が完了するため、自動組版後の大幅な作業効率化が図れる。さらに、処理対象画像フレームの選択漏れが発生することがなく、トラブル防止が期待できる。
【００３２】
また、図５は、ＤＴＰレイアウトソフトのメニューの一例を示す図である。図５に示すように、オペレータが操作部２４により、ＤＴＰレイアウトソフトのメニューからも、処理対象となる画像フレームを選択指示できるようにしておくことで、画像フレームの選択を解除してしまった場合でも処理対象となる画像フレームを再度、一括で選択状態にすることができる。これにより、ＤＴＰデータ修正作業時の効率化、トラブル防止にもつながる。
【００３３】
以上説明したように、上記実施形態によれば、各小組データにおける各画像フレームのうち処理対象となる画像フレームに対してＸＭＬタグなどの目印情報を関連付けておき、複数の小組データを用いた組版実行時に、目印情報が関連付けられた画像フレームを検索し、当該組版実行により生成されたＤＴＰデータを表示すると共に、上記検索された画像フレームを当該ＤＴＰデータ上で選択状態にするように構成したので、処理対象となる画像の数が数十〜数百と多くなっても、自動組版後の大幅な作業効率化を図ることができ、処理対象画像の選択漏れの発生を防止することができる。
【図面の簡単な説明】
【００３４】
【図１】本実施形態に係るＤＴＰ編集システムの概要構成の一例を示す図である。
【図２】組版端末の概要構成の一例を示す図である。
【図３】組版端末２の処理部２１における画像フレーム選択処理を示すフローチャートである。
【図４】検索された画像フレームが選択状態とされた様子を示す概念図である。
【図５】ＤＴＰレイアウトソフトのメニューの一例を示す図である。
【符号の説明】
【００３５】
１    データベースサーバ
２    組版端末
３    ネットワーク
１１  テキストデータベース
１２  画像データベース
１３  組み込み体裁データベース
２１  処理部
２２  記憶部
２３  表示部
２４  操作部
２５  通信部
Ｓ    ＤＴＰ編集システム
【図１】
0005303967.tif 000002
【図２】
0005303967.tif 000003
【図３】
0005303967.tif 000004
【図４】
0005303967.tif 000005
【図５】
0005303967.tif 000006